【手続補正書】
【提出日】平成17年5月25日(2005.5.25)
【手続補正１】
【補正対象書類名】明細書
【補正対象項目名】特許請求の範囲
【補正方法】変更
【補正の内容】
【特許請求の範囲】
【請求項１】
ネットワークを介して画像データを送信する画像データ送信手段備えた画像送信装置であって、
送信相手先に対応付けて第一及び第二の宛先情報を記憶する宛先情報記憶手段と、
前記第一の宛先情報に基づく通信により、前記送信相手先の受信能力を取得する取得手段と、
前記取得手段により取得した受信能力のうちデータ量が少なくなる圧縮方法で画像データを圧縮し、前記第二の宛先情報に基づいて、圧縮されたデータを送信する制御手段とを備えたことを特徴とする画像送信装置。
【請求項２】
前記制御手段は、送信相手先の受信能力が前記受信能力記憶手段に既に記憶されているときは前記第一の宛先情報に基づく通信をすることなく、データ量が少なくなる圧縮方法で画像データを圧縮し、画像データを送信することを特徴とする請求項１記載のファクシミリ装置。
【請求項３】
前記制御手段は、前記送信相手先に画像データを送信する際に、前記第一の宛先情報と送信画像データデータ量に基づいて前記第一宛先通信料金を算出するとともに、前記第二の宛先情報と送信画像データデータ量に基づいて前記第二宛先通信料金を算出し、算出した通信料金が安価な宛先情報に基づく通信で前記画像データを送信することを特徴とする請求項１または請求項２記載のファクシミリ装置。
【請求項４】
前記制御手段は、前記第一の宛先情報に発呼した際に前記受信能力の受信に失敗すると、標準の圧縮方法で前記画像データを圧縮して第二の宛先情報に送信することを特徴とする請求項１から請求項３のいずれかに記載のファクシミリ装置。
【請求項５】
前記制御手段は、前記送信相手先から前記第二の宛先情報に基づく通信でエラーを受信したときは、前記受信能力記憶手段に登録されている受信能力情報を消去することを特徴とする請求項１から請求項４のいずれかに記載のファクシミリ装置。
【手続補正２】
【補正対象書類名】明細書
【補正対象項目名】０００７
【補正方法】変更
【補正の内容】
【０００７】
そこで、本願発明は、相手先の受信能力に応じた最も最適な圧縮方法で画像データを圧縮して送信し、通信時間を短縮するとともに、通信エラーの発生を防止して、通信コストが安価で、かつ、利用性の良好なファクシミリ装置を提供することを目的としている。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
【課題を解決するための手段】
請求項１記載の発明のファクシミリ装置は、ネットワークを介して画像データを送信する画像データ送信手段備えた画像送信装置であって、送信相手先に対応付けて第一及び第二の宛先情報を記憶する宛先情報記憶手段と、前記第一の宛先情報に基づく通信により、前記送信相手先の受信能力を取得する取得手段と、前記取得手段により取得した受信能力のうちデータ量が少なくなる圧縮方法で画像データを圧縮し、前記第二の宛先情報に基づいて、圧縮されたデータを送信する制御手段とを備えたことを特徴とする。
【手続補正８】
【補正対象書類名】明細書
【補正対象項目名】００１３
【補正方法】変更
【補正の内容】
【００１３】
上記構成によれば、相手先の受信能力に応じた最も最適な圧縮方法で画像データを圧縮して送信することができ、通信時間を短縮するとともに、通信エラーの発生を防止して、通信コストを安価なものとすることができるとともに、ファクシミリ装置の利用性を向上させることができる。
【手続補正９】
【補正対象書類名】明細書
【補正対象項目名】００１４
【補正方法】変更
【補正の内容】
【００１４】
この場合、前記制御手段は、送信相手先の受信能力が前記受信能力記憶手段に既に記憶されているときは前記第一の宛先情報に基づく通信をすることなく、データ量が少なくなる圧縮方法で画像データを圧縮し、画像データを送信するものであってもよい。
【手続補正１０】
【補正対象書類名】明細書
【補正対象項目名】００１５
【補正方法】変更
【補正の内容】
【００１５】
上記構成によれば、受信能力記憶手段に記憶されている送信相手先の受信能力のうち最もデータ量が少なくなる圧縮方法で画像データを圧縮して送信するので、速やかに画像データを送信することができ、より通信コストを安価なものとすることができる。
【手続補正１１】
【補正対象書類名】明細書
【補正対象項目名】００１６
【補正方法】変更
【補正の内容】
【００１６】
また、前記制御手段は、前記送信相手先に画像データを送信する際に、前記第一の宛先情報と送信画像データデータ量に基づいて前記第一宛先通信料金を算出するとともに、前記第二の宛先情報と送信画像データデータ量に基づいて前記第二宛先通信料金を算出し、算出した通信料金が安価な宛先情報に基づく通信で前記画像データを送信するものであってもよい。
【手続補正１２】
【補正対象書類名】明細書
【補正対象項目名】００１７
【補正方法】変更
【補正の内容】
【００１７】
上記構成によれば、回線を切断した後、改めて画像データを送信する時間を省くことができ、より一層安価でかつ速やかに画像データを送信することができ、より一層通信コストを安価なものとすることができるとともに、ファクシミリ装置の利用性を向上させることができる。
【手続補正１３】
【補正対象書類名】明細書
【補正対象項目名】００１８
【補正方法】変更
【補正の内容】
【００１８】
さらに、前記制御手段は、前記第一の宛先情報に発呼した際に前記受信能力の受信に失敗すると、標準の圧縮方法で前記画像データを圧縮して第二の宛先情報に送信するものであってもよい。
【手続補正１４】
【補正対象書類名】明細書
【補正対象項目名】００１９
【補正方法】変更
【補正の内容】
【００１９】
上記構成によれば、画像データを送信相手先での互換性を確保して、適切かつ確実に送信することができ、通信コストを安価なものとすることができるとともに、ファクシミリ装置の利用性をより一層向上させることができる。
【手続補正１５】
【補正対象書類名】明細書
【補正対象項目名】００２０
【補正方法】変更
【補正の内容】
【００２０】
また、前記制御手段は、前記送信相手先から前記第二の宛先情報に基づく通信でエラーを受信したときは、前記受信能力記憶手段に登録されている受信能力情報を消去するものであってもよい。
【手続補正１６】
【補正対象書類名】明細書
【補正対象項目名】００２１
【補正方法】変更
【補正の内容】
【００２１】
上記構成によれば、送信相手先の機種の変更等による受信能力の変更に適切に対応して、画像データを適切かつ確実に電子メールで送信することができ、通信コストを安価なものとすることができるとともに、ファクシミリ装置の利用性をより一層向上させることができる。
【手続補正１７】
【補正対象書類名】明細書
【補正対象項目名】００５９
【補正方法】変更
【補正の内容】
【００５９】
【発明の効果】
以上説明したように本願発明によれば、相手先の受信能力に応じた最も最適な圧縮方法で画像データを圧縮して電子メールとして送信することができ、通信時間を短縮するとともに、通信エラーの発生を防止して、通信コストを安価なものとすることができるとともに、ファクシミリ装置の利用性を向上させることができる。
【手続補正１８】
【補正対象書類名】明細書
【補正対象項目名】００６０
【補正方法】削除
【補正の内容】
【手続補正１９】
【補正対象書類名】明細書
【補正対象項目名】００６１
【補正方法】削除
【補正の内容】
【手続補正２０】
【補正対象書類名】明細書
【補正対象項目名】００６２
【補正方法】削除
【補正の内容】
【手続補正２１】
【補正対象書類名】明細書
【補正対象項目名】００６３
【補正方法】削除
【補正の内容】